(57)【特許請求の範囲】
【請求項１】
吸収性物品の包装体であって、
包装シート部材にて形成された包装袋と、
前記包装袋に収容された複数の吸収性物品と、
を備え、
前記包装袋の形状が、前面、後面、２つの側面、上面および下面を有する略直方体であり、
前記包装袋が、前記上面またはその周囲の部位に接続される把持部を有し、
前記把持部が、前記上面から上方に伸びるシートであり、把持する際に指が挿入される開口を有し、前記吸収性物品の製品情報が触覚により認識可能な凸部により表示された触覚表示部が前記把持部の前記開口の上側の部位に設けられる、
または、
前記把持部が、２本の帯状部材であり、前記触覚表示部が前記２本の帯状部材のうち少なくとも一方の中央部に設けられることを特徴とする吸収性物品の包装体。
【請求項２】
請求項１に記載の吸収性物品の包装体であって、
前記凸部が形成されたシート状の情報部材が前記把持部に貼付されることにより前記触覚表示部が設けられることを特徴とする吸収性物品の包装体。
【請求項３】
請求項１に記載の吸収性物品の包装体であって、
前記把持部を熱硬化させることにより前記凸部が形成されることを特徴とする吸収性物品の包装体。
【請求項４】
請求項１に記載の吸収性物品の包装体であって、
前記把持部に塗布した発泡インクを膨張させることにより前記凸部が形成されることを特徴とする吸収性物品の包装体。
【発明の詳細な説明】
【技術分野】
【０００１】
本発明は、吸収性物品の包装体に関する。
【背景技術】
【０００２】
従来より、使い捨ておむつや使い捨ておむつの内側に取り付けられる補助吸収具（例えば、尿取りパッド）等の吸収性物品は、複数個が積層されて積層方向に圧縮された状態で包装袋に収容されて販売されている。包装体の形状は通常、略直方体となっており、当該包装体の前面、後面および両側面には、内部に収容された吸収性物品の種類やサイズ、収容枚数等の情報が視認可能に表示されている。
【０００３】
一方、特許文献１および特許文献２では、スナック菓子等の食品や散薬等を包装するフィルム製の包装袋において、商品名や賞味期限、開封方法等の情報を点字にて熱シール部に表示することが提案されている。
【先行技術文献】
【特許文献】
【０００４】
【特許文献１】特開平１１−２９２０９１号公報
【特許文献２】特開平１１−３０１７００号公報
【発明の概要】
【発明が解決しようとする課題】
【０００５】
ところで、このような吸収性物品は、視覚障害者が自分で着用することがあまり想定されておらず、内部に収容された吸収性物品の種類やサイズ、収容枚数等の情報は、包装袋の外面に視認可能に印刷されているのみであった。
【０００６】
本発明は、上記課題に鑑みなされたものであり、視覚障害者が所望の吸収性物品を容易に選択することを目的としている。
【課題を解決するための手段】
【０００７】
請求項１に記載の発明は、吸収性物品の包装体であって、包装シート部材にて形成された包装袋と、前記包装袋に収容された複数の吸収性物品とを備え、前記包装袋の形状が、前面、後面、２つの側面、上面および下面を有する略直方体であり、前記包装袋が、前記上面またはその周囲の部位に接続される把持部を有し、前記把持部が、前記上面から上方に伸びるシートであり、把持する際に指が挿入される開口を有し、前記吸収性物品の製品情報が触覚により認識可能な凸部により表示された触覚表示部が前記把持部の前記開口の上側の部位に設けられる、または、前記把持部が、２本の帯状部材であり、前記触覚表示部が前記２本の帯状部材のうち少なくとも一方の中央部に設けられる。
【０００９】
請求項２に記載の発明は、請求項１に記載の吸収性物品の包装体であって、前記凸部が形成されたシート状の情報部材が前記把持部に貼付されることにより前記触覚表示部が設けられる。
【００１０】
請求項３に記載の発明は、請求項１に記載の吸収性物品の包装体であって、前記把持部を熱硬化させることにより前記凸部が形成される。
【００１１】
請求項４に記載の発明は、請求項１に記載の吸収性物品の包装体であって、前記把持部に塗布した発泡インクを膨張させることにより前記凸部が形成される。
【発明の効果】
【００１２】
本発明では、視覚障害者が所望の吸収性物品を容易に選択することができる。
【図面の簡単な説明】
【００１３】
【図１】一の実施の形態に係る包装体の斜視図である。
【図２】他の包装体の斜視図である。
【発明を実施するための形態】
【００１４】
図１は、本発明の一の実施の形態に係る包装体１を示す斜視図である。包装体１は、吸収性物品９のパッケージであり、包装袋３の内部に複数の吸収性物品９を収容した構造を有する。包装袋３は、包装シート部材にて袋状に形成されたものであり、包装袋３には、複数の吸収性物品９が図１中のＸ方向に積層されて圧縮された状態で収容される。包装シート部材としては、例えば、ポリエチレン等の樹脂製の柔軟な可撓性フィルムが利用される。吸収性物品９は、使い捨ておむつや使い捨ておむつの内側に取り付けられる補助吸収具（例えば、尿取りパッド）、生理用品等であり、図１では、それぞれ２つ折りにされた約２０枚の吸収性物品９が包装袋３に収容されている。なお、包装体１では、例えば、複数の吸収性物品９が上下方向に２段以上積み重ねられた状態で包装袋の内部に収容されてもよい。
【００１５】
複数の吸収性物品９を収容した状態における包装袋３の形状は略直方体である。包装袋３は、複数の吸収性物品９の（＋Ｚ）側および（−Ｚ）側をそれぞれ覆う上面１１および下面１２、複数の吸収性物品９の（−Ｙ）側および（＋Ｙ）側をそれぞれ覆う前面１３および後面１４、並びに、複数の吸収性物品９の（＋Ｘ）側および（−Ｘ）側をそれぞれ覆う２つの側面１５，１６を有する。なお、包装袋３の上面１１、下面１２、前面１３、後面１４および側面１５，１６は、包装体１の上面、下面、前面、後面および側面でもある。
【００１６】
前面１３は、通常、商品名や商品の特徴が大きく記載される面であり、前面１３および後面１４の水平方向（Ｘ方向）の幅は、２つの側面１５，１６の水平方向（Ｙ方向）の幅よりも大きい。前面１３および後面１４の双方に大きく商品名等が記載される場合は、いずれの面が前面または後面と捉えられてもよい。上面１１は、複数の吸収性物品９の周囲を囲む前面１３、後面１４および２つの側面１５，１６により下面１２に接続される。
【００１７】
包装袋３は、さらに、上面１１のＹ方向のおよそ中央に接続される把持部１７を有する。把持部１７は、上面１１から上方（すなわち、（＋Ｚ）方向）に伸びるシートであり、上面１１のＸ方向のおよそ全長に亘って設けられる。把持部１７のＸ方向のおよそ中央には開口１７１が形成されている。包装体１の使用者等が把持部１７を把持する際には、使用者等の指が開口１７１に挿入され、把持部１７の開口１７１の上側の部位（すなわち、上面１１から離れている側の部位）が把持される。
【００１８】
包装袋３では、第１情報表示部２１が上面１１、前面１３、後面１４、並びに、（＋Ｘ）側および（−Ｘ）側の側面１５，１６に配置されており、第１情報表示部２１には、吸収性物品９の製品情報や、購買意欲の向上を図る模様等の装飾が視認可能に表示される。製品情報とは、吸収性物品９の種類やサイズ、収容枚数等、包装体１を購入したり使用する際に購入者や使用者が通常必要とする様々な情報を指す。第１情報表示部２１は、包装袋３を形成する包装シート部材の外面に、通常のインクにより製品情報を印刷することにより設けられる。
【００１９】
包装袋３では、また、第２情報表示部２２が、把持部１７の（＋Ｙ）側および（−Ｙ）側の面に設けられ、開口１７１の周囲の全周に亘って配置される。第２情報表示部２２には、吸収性物品９の製品情報が点字により表示される。点字による情報の表示とは、当該情報が触覚により認識可能とされることであり、視覚による認識を可能とする通常の情報表示とは異なる。第２情報表示部２２に表示される製品情報は、通常、第１情報表示部２１に表示される製品情報の一部（例えば、吸収性物品９の種類とサイズ）である。
【００２０】
第２情報表示部２２は、点字が形成されたシート状の情報部材が、把持部１７の開口１７１の周囲にホットメルト接着剤等により貼付されることにより設けられる。当該情報部材としては、好ましくは、包装シート部材に比べて厚くて丈夫な樹脂製のシート部材が利用される。包装体１では、第２情報表示部２２の製品情報は、必ずしも点字により表示される必要はなく、触覚により認識可能な凸部により表示されていればよい。凸部による表示とは、例えば、凸部の形状や複数の凸部の配置の違いにより製品の種類やサイズ等を判別可能とすることを指す。また、凸部による表示には、第２情報表示部２２内の所定箇所における凸部の有無により製品の種類やサイズ等を判別可能とすることも含む。
【００２１】
ところで、吸収性物品の着用者の居宅等において複数種類の吸収性物品（例えば、テープタイプおよびパンツタイプの使い捨ておむつ、並びに、昼用および夜用の補助吸収具）がそれぞれ包装袋に収容された状態で床上に載置されたり、棚上にて横倒しにして（すなわち、前面１３、後面１４および側面１５，１６のうちの一の面を下にした状態で）保管されている場合、視覚障害者である着用者が吸収性物品を取り出そうとすると、着用者は包装袋３の上面１１から突出する把持部１７に触れる可能性が高い。包装体１では、把持部１７の第２情報表示部２２が、上述のように、吸収性物品９の製品情報が触覚により認識可能な凸部により表示される触覚表示部となっているため、視覚障害者が複数種類の包装体１の把持部１７に触れることにより、各包装袋３の内部に収容された吸収性物品９の製品情報を入手する（すなわち、触覚により読み取る）ことができる。その結果、視覚障害者が、所望の吸収性物品９を容易に選択することができる。
【００２２】
包装体１では、吸収性物品９を包装袋３から取り出すための取り出し開口は、包装袋３の上面１１近傍に設けられる（例えば、前面１３から上面１１にかけて設けられる）ことが多い。包装体１は、通常、当該取り出し開口が着用者の手の届きやすい位置に位置するように置かれるため、上面１１に接続される把持部１７も着用者の手の届きやすい位置に位置する。したがって、着用者は把持部１７に設けられた第２情報表示部２２に容易に触れることができる。その結果、視覚障害を有する着用者が、所望の吸収性物品９をより容易に選択することができる。さらに、把持部１７が包装袋３の上面１１から突出しているため、着用者が触れた際に把持部１７であることを容易に認識することができる。このように、認識が容易な把持部１７に第２情報表示部２２を設けることにより、視覚障害者が、所望の吸収性物品９をさらに容易に選択することができる。
【００２３】
包装袋３では、把持部１７を把持する際に手が触れる可能性が高い開口１７１の周囲に第２情報表示部２２が配置される。これにより、視覚障害者による吸収性物品９の製品情報の入手をより容易とすることができる。第２情報表示部２２は、開口１７１の周囲であればどの部位に配置されてもよいが、把持部１７を把持する際に手が触れる可能性がより高い把持部１７の上側の部位に少なくとも配置されることがより好ましい。これにより、視覚障害者による吸収性物品９の製品情報の入手をさらに容易とすることができる。
【００２４】
また、包装袋３では、点字等の凸部が形成されたシート状の情報部材が、把持部１７に貼付されることにより、第２情報表示部２２を容易に形成することができる。さらに、情報部材が把持部１７の開口１７１の周囲に貼付されることにより、把持部１７の開口１７１近傍の部位の強度を向上することができる。第２情報表示部２２となる情報部材は、開口１７１の周囲であればどの部位に貼付されてもよいが、把持部１７を把持して包装体１を運搬する際に最も大きい荷重が加わる把持部１７の上側の部位に少なくとも貼付されることがより好ましい。これにより、包装体１の運搬時に吸収性物品９の重量等により把持部１７が破損することを抑制することができる。
【００２５】
包装袋３では、第２情報表示部２２として、必ずしもシート状の情報部材が把持部１７に貼付される必要はない。例えば、点字等の凸部に対応する突起が形成された加熱ツールと、当該突起に対応する窪みが形成された加熱ツールとにより把持部１７を挟み、把持部１７の外面を熱硬化させることにより第２情報表示部２２の凸部が形成されてもよい。この場合も、情報部材の貼付と同様に、第２情報表示部２２を容易に形成することができる。また、情報部材を使用する必要がないため、包装袋３の材料コストを低減することができる。
【００２６】
第２情報表示部２２の凸部は、把持部１７の外面にインクジェットプリンタ等により発泡インクを塗布し、当該発泡インクを加熱して膨張させることにより形成されてもよい。この場合も、第２情報表示部２２を容易に形成することができる。また、凸部の形状や配置等を容易に変更することができるため、発泡インクによる凸部の形成は、複数種類の包装袋に対して第２情報表示部２２を形成する場合に特に適している。さらに、発泡インクとして有色インクが利用され、第２情報表示部２２において凸部が視認可能な装飾とされてもよい。これにより、第２情報表示部２２を、晴眼者の購買意欲を向上させる領域として利用することができる。
【００２７】
以上、本発明の実施の形態について説明してきたが、本発明は上記実施の形態に限定されるものではなく、様々な変更が可能である。
【００２８】
把持部１７の形状は必ずしも包装袋３の上面１１から上方に伸びるシート状である必要はなく、例えば、図２に示すように、１本の細い帯状（または、紐状）の部材の両端部が包装袋３の前面１３の上部（すなわち、上面１１の周囲の部位）に熱圧着等により接続され、もう１本の同様の部材の両端部が包装袋３の後面１４の上部に熱圧着等により接続されることにより、把持部１７ａが形成されてもよい。この場合であっても、把持部１７ａの２本の帯状部材のうち少なくとも一方に（より好ましくは、両方に）、図中において平行斜線を付す第２情報表示部２２が設けられることにより、視覚障害者が、所望の吸収性物品９を容易に選択することができる。
【符号の説明】
【００２９】
１    包装体
３    包装袋
９    吸収性物品
１１    上面
１２    下面
１３    前面
１４    後面
１５，１６    側面
１７，１７ａ    把持部
２１    第１情報表示部
２２    第２情報表示部
１７１    開口
【図１】
0005554594.tif 000002
【図２】
0005554594.tif 000003